(57)【特許請求の範囲】
【請求項１】
開口部を有する外枠と、
この外枠の内部に収容され、発光体と電気的接点とが設けられた基板と、
前記基板の開口部側に設けられ、前記発光体からの光を拡散する導電性プラスチックからなる拡散部材と、
前記拡散部材の開口部側に設けられたバネと、
前記バネの弾性力により付勢された光透過性を有する押下部材と、
を有することを特徴とするエレベータ用押しボタンスイッチ。
【請求項２】
開口部を有する外枠と、
この外枠の内部に収容され、発光体と電気的接点とが設けられた基板と、
前記基板の開口部側に設けられ、前記発光体からの光を拡散する拡散部材と、
前記基板側の前記拡散部材に設けられ、前記基板と接触可能な導電性プラスチックからなる操作子と、
前記拡散部材の開口部側に設けられたバネと、
前記バネの弾性力により付勢された光透過性を有する押下部材と、
を有することを特徴とするエレベータ用押しボタンスイッチ。
【請求項３】
請求項１または請求項２に記載されたエレベータ用押しボタンスイッチであって、
前記基板上の所定の位置に、導電性プラスチックからなる接点が設けられることを特徴するエレベータ用押しボタンスイッチ。
【請求項４】
請求項１乃至請求項３のいずれかに記載されたエレベータ用押しボタンスイッチであって、
前記発光体は、前記拡散部材の移動エリアの直下位置より外れた位置で、且つ、前記拡散部材の側面より光を入射させる位置に配置され、前記拡散部材は、側面より入射された光を表面側に拡散状態で射出する導光板として構成されていることを特徴とするエレベータ用押しボタンスイッチ。
【請求項５】
請求項１乃至請求項４のいずれかに記載されたエレベータ用押しボタンスイッチであって、
一対の前記電気的接点は、前記拡散部材や前記押下部材の移動エリアの直下位置より外れた位置に配置され、前記拡散部材や前記押下部材の側面を摺動することで前記接点により導通されることを特徴とするエレベータ用押しボタンスイッチ。
【発明の詳細な説明】
【０００１】
【発明の属する技術分野】
本発明は、エレベータの利用者による操作入力を受け付けるためのエレベータ用押しボタンスイッチに関する。
【０００２】
【従来の技術】
エレベータの各乗場や乗りかご内のインジケータエリアには利用者の操作入力を受け付けるためのエレベータ用押しボタンスイッチが設けられ、このエレベータ用押しボタンスイッチの操作入力に基づいてエレベータが制御される。
【０００３】
この種の従来のエレベータ用押しボタンスイッチとしては、図１２に示すものがある。このエレベータ用押しボタンスイッチ１００は、図１２に示すように、フェースプレート１０１のスイッチ取付位置に形成されたボタン取付孔１０１ａと、このボタン取付孔１０１ａの外周位置で、且つ、フェースプレート１０１の裏面に固定され、表面側が開口された部品収容室１０２ａを有する外枠１０２とを備え、この外枠１０２の部品収容室１０２ａ内には回路基板１０３、押下部材１０４、色板１０５及び操作子１０６が収容されている。
【０００４】
回路基板１０３は、部品収容室１０２ａの底面側に配置され、回路基板１０３の上面には複数の発光ダイオード１０７と複数のスイッチユニット１０８とがマウントされている。スイッチユニット１０８は、ユニット本体１０８ａの上方に突出され、且つ、図示しない付勢手段により上方に付勢された押下ロッド１０８ｂを有し、この押下ロッド１０８ｂが押下されることによりユニット本体１０８ａ内の接点間が導通状態になるように構成されている。
【０００５】
押下部材１０４は、光透過性部材で、表面側が外部に露出された状態で部品収容室１０２ａに収容されていると共に、色板１０５及び操作子１０６と共に外枠１０２の厚み方向に摺動自在に設けられている。押下部材１０４は、ボタン取付孔１０１ａの内周に配置されたボタン枠１０９によって部品収容室１０２ａから抜け出ないように規制されている。色板１０５は、押下部材１０４の裏面に固定され、発光ダイオード１０７からの発光を表面側に拡散状態で射出する。操作子１０６は、色板１０５の裏面側に固定され、その裏面にはスイッチユニット１０８の押下ロッド１０８ｂが当接されている。
【０００６】
次に、エレベータ用押しボタンスイッチ１００の作用を説明する。エレベータの利用者が押下部材１０４を押下すると、スイッチユニット１０８の押下ロッド１０８ａからの付勢力に抗して押下部材１０４、色板１０５及び操作子１０６が押下される。操作子１０６の押下によりスイッチユニット１０８の押下ロッド１０８ｂが押下され、スイッチユニット１０８内の接点間が導通される。すると、発光ダイオード１０７が点灯され、この光が色板１０５により均等に拡散された状態で押下部材１０４の裏面側に射出される。利用者には押下部材１０４が均等に発光して見え、これにより利用者は指示入力が受け入れられたことを認識することができる。また、スイッチユニット１０８の入力情報は、制御装置（図示せず）に導かれ、制御装置（図示せず）により所望の制御が実行される。
【０００７】
利用者が押下部材１０４の押下を解除すると、スイッチユニット１０８の押下ロッド１０８ｂの付勢力により押下部材１０４、色板１０５及び操作子１０６が表面側に摺動し、元の位置に復帰される。
【０００８】
【発明が解決しようとする課題】
しかしながら、前記従来のエレベータ用押しボタンスイッチ１００では、押下部材１０４、色板１０５及び操作子１０６の摺動エリアの直下位置にスイッチユニット１０８を配置し、このスイッチユニット１０８が大きな高さ寸法Ｌ１を有するため、エレベータ用押しボタンスイッチ１００を薄型にできず大きな設置スペースを確保する必要があった。
【０００９】
そこで、本発明は、前記した課題を解決すべくなされたものであり、薄型であるエレベータ用押しボタンスイッチを提供することを目的とする。
【００１０】
【課題を解決するための手段】
請求項１の発明は、開口部を有する外枠と、この外枠の内部に収容され、発光体と電気的接点とが設けられた基板と、前記基板の開口部側に設けられ、前記発光体からの光を拡散する導電性プラスチックからなる拡散部材と、前記拡散部材の開口部側に設けられたバネと、前記バネの弾性力により付勢された光透過性を有する押下部材と、を有することを特徴とする。
【００１１】
このエレベータ用押しボタンスイッチでは、基板が接点手段を有し、拡散部材と基板の一対の接点とからスイッチ機構を構成し、回路基板上には一対の固定接点を配置すれば良いため、薄型にできる。また、色板の裏面に操作子を設けないため、操作子の厚み分薄型にできる。
【００１２】
請求項２の発明は、開口部を有する外枠と、この外枠の内部に収容され、発光体と電気的接点とが設けられた基板と、前記基板の開口部側に設けられ、前記発光体からの光を拡散する拡散部材と、前記基板側の前記拡散部材に設けられ、前記基板と接触可能な導電性プラスチックからなる操作子と、前記拡散部材の開口部側に設けられ、前記拡散部材の開口部側に設けられたバネと、前記バネの弾性力により付勢された光透過性を有する押下部材と、を有する。このエレベータ用押しボタンスイッチでは、操作子が可動接点手段を有し、操作子と回路基板の一対の固定接点とからスイッチ機構を構成し、回路基板上には一対の固定接点を配置すれば良いため、薄型にできる。
【００１３】
【発明の実施の形態】
以下、本発明の実施形態を図面に基づいて説明する。
【００１４】
（第１実施形態）
図１〜図４は本発明の第１実施形態を示し、図１はエレベータ用押しボタンスイッチ１Ａの正面図、図２はエレベータ用押しボタンスイッチ１Ａの側面図、図３はエレベータ用押しボタンスイッチ１Ａの分解斜視図、図４は図１のＡ−Ａ線断面図である。
【００１５】
図１〜図４に示すように、エレベータ用押しボタンスイッチ１Ａは、フェースプレート２のスイッチ取付位置に形成されたボタン取付孔２ａと、このボタン取付孔２ａの外周位置で、且つ、フェースプレート２の裏面に固定され、表面側が開口された部品収容室３ａを有する外枠３とを備え、この外枠３の部品収容室３ａ内には回路基板４、押下部材５、色板６及び付勢手段である圧縮バネ７が収容されている。
【００１６】
回路基板４は、部品収容室３ａの底面側に配置された状態で外枠３に固定されている。回路基板４の上面には発光体である発光ダイオード１０と一対の固定接点１１とがそれぞれ４箇所にマウントされている。４箇所の発光ダイオード１０及び４箇所の一対の固定接点１１は、押下部材５及び色板６の摺動エリアの直下位置に共に配置されている。
【００１７】
押下部材５は、光透過性部材で、表面側が外部に露出された状態で部品収容室３ａに収容されていると共に、色板６と共に外枠３の厚み方向に摺動自在に設けられている。押下部材５は、ボタン取付孔２ａの内周に配置されたボタン枠１２によって部品収容室３ａから抜け出ないように規制されている。また、押下部材５の表面には階数等を示す数字や乗りかごの移動方向を示す記号等が表示されている。
【００１８】
色板６は、押下部材５の裏面に固定され、発光ダイオード１０からの発光を裏面側がら入射し、この入射した光を表面側に拡散状態で射出する光拡散機能を有する。色板６は、一対の固定接点１１間を導通させる可動接点手段を有し、この第１実施形態の可動接点手段は色板自体を導電性部材（例えば導電性ポリマー）で形成することにより構成されている。つまり、色板６と一対の固定接点１１とによってスイッチ機構が構成されている。
【００１９】
付勢手段である圧縮バネ７は、回路基板４と色板６との間の４隅に介在され、押下部材５及び色板６を部品収容室３ａの表面側に付勢している。この圧縮バネ７のバネ力によって、押下部材５は押下されていない状態にあってボタン枠１２に弱い押圧力で密着されている。
【００２０】
次に、エレベータ用押しボタンスイッチ１Ａの作用を説明する。エレベータの利用者が押下部材５を押下すると、圧縮バネ７のバネ力に抗して押下部材５及び色板６が押下されて色板６の底面が一対の固定接点１１に接触し、一対の固定接点１１間が導通される。すると、発光ダイオード１０が点灯され、この光が色板６により均等に拡散された状態で押下部材５の裏面側に射出される。この射出光は押下部材５を透過してエレベータ用押しボタンスイッチ１Ａの表面側に射出される。利用者には押下部材５が均等に発光して見え、これにより利用者は指示入力が受け入れられたことを認識することができる。また、スイッチ機構の入力情報は、制御装置（図示せず）に導かれ、制御装置（図示せず）により所望の制御が実行される。尚、入力信号は制御装置に入力され、制御装置から発光ダイオード１０の点灯信号が出力される。
【００２１】
利用者が押下部材５の押下を解除すると、圧縮バネ７のバネ力により押下部材５及び色板６が部品収容室３ａの表面側に摺動し、元の位置に復帰される。
【００２２】
以上、第１実施形態のエレベータ用押しボタンスイッチ１Ａは、色板６が可動接点手段を有し、色板６と回路基板４の一対の固定接点１１とからスイッチ機構を構成し、回路基板４上には一対の固定接点１１を配置すれば良いこと、及び、色板６の裏面に操作子を設けないことにより、薄型にできる。
【００２３】
この第１実施形態では、可動接点手段は、色板６を導電性部材にて形成することにより構成されいる。このため、色板６自体が導電性を有し、可動接点手段として別途に何も付設する必要がなく、その厚み分を薄型化できる。
【００２４】
（第２実施形態）
図５は本発明の第２実施形態を示し、エレベータ用押しボタンスイッチ１Ｂの断面図である。
【００２５】
図５に示すように、エレベータ用押しボタンスイッチ１Ｂは、フェースプレート２のスイッチ取付位置に形成されたボタン取付孔２ａと、このボタン取付孔２ａの外周位置で、且つ、フェースプレート２の裏面に固定され、表面側が開口された部品収容室３ａを有する外枠３とを備え、この外枠３の部品収容室３ａ内には回路基板４、押下部材５、色板６、操作子８及び付勢手段である圧縮バネ７が収容されている。
【００２６】
回路基板４は、部品収容室３ａの底面側に配置された状態で外枠３に固定されている。回路基板４の上面には発光体である発光ダイオード１０と一対の固定接点１１とがそれぞれ４箇所にマウントされている。４箇所の発光ダイオード１０及び４箇所の一対の固定接点１１は、押下部材５、色板６及び操作子８の摺動エリアの直下位置に共に配置されている。
【００２７】
押下部材５は、光透過性部材で、表面側が外部に露出された状態で部品収容室３ａに収容されていると共に、色板６及び操作子８と共に外枠３の厚み方向に摺動自在に設けられている。押下部材５は、ボタン取付孔２ａの内周に配置されたボタン枠１２によって部品収容室３ａから抜け出ないように規制されている。また、押下部材５の表面には階数等を示す数字や乗りかごの移動方向を示す記号等が表示されている。
【００２８】
色板６、押下部材５の裏面に固定され、発光ダイオード１０からの発光を裏面側がら入射し、この入射した光を表面側に拡散状態で射出する光拡散機能を有する。
【００２９】
操作子８は、色板６の裏面側に固定され、内部に発光ダイオード１０の光を通すための大きな開口部８ａが形成されている。操作子８は、一対の固定接点１１間を導通させる可動接点手段を有し、この第１実施形態の可動接点手段は操作子自体を導電性部材（例えば導電性ポリマー）で形成することにより構成されている。つまり、操作子８と一対の固定接点１１とによってスイッチ機構が構成されている。
【００３０】
付勢手段である圧縮バネ７は、回路基板４と操作子８との間の４隅に介在され、押下部材５、色板６及び操作子８を部品収容室３ａの表面側に付勢している。この圧縮バネ７のバネ力によって、押下部材５は押下されていない状態にあってボタン枠１２に弱い押圧力で密着されている。
【００３１】
次に、エレベータ用押しボタンスイッチ１Ｂの作用を説明する。エレベータの利用者が押下部材５を押下すると、圧縮バネ７のバネ力に抗して押下部材５、色板６及び操作子８が押下されて操作子８の底面が一対の固定接点１１に接触し、一対の固定接点１１間が導通される。すると、入力信号は制御装置に入力され、制御装置から発光ダイオード１０の点灯信号が出力される。発光ダイオード１０が点灯され、この光が操作子８の開口部８ａを介して色板６に入射される。この入射光は色板６により均等に拡散された状態で押下部材５の裏面側に射出される。この射出光は押下部材５を透過してエレベータ用押しボタンスイッチ１Ｂの表面側に射出される。利用者には押下部材５が均等に発光して見え、これにより利用者は指示入力が受け入れられたことを認識することができる。また、スイッチ機構の入力情報は、制御装置（図示せず）に導かれ、制御装置（図示せず）により所望の制御が実行される。
【００３２】
利用者が押下部材５の押下を解除すると、圧縮バネ７のバネ力により押下部材５、色板６及び操作子８が部品収容室３ａの表面側に摺動し、元の位置に復帰される。
【００３３】
以上、この第２実施形態のエレベータ用押しボタンスイッチ１Ｂでは、操作子８が可動接点手段を有し、操作子８と回路基板４の固定接点１１とからスイッチ機構を構成し、回路基板４上には一対の固定接点１１を配置すれば良いため、薄型にできる。
【００３４】
この第２実施形態では、可動接点手段は、操作子８を導電性部材にて形成することにより構成されている。このため、操作子８自体が導電性を有し、可動接点手段として別途に何も付設する必要がないため、その厚み分を薄型化できる。
【００３５】
この第２実施形態のエレベータ用押しボタンスイッチ１Ｂと前記第１実施形態のエレベータ用押しボタンスイッチ１Ａとを比較するに、第１実施形態のエレベータ用押しボタンスイッチ１Ａの方は操作子８の厚み分だけ薄型化になり、第２実施形態のエレベータ用押しボタンスイッチ１Ｂの方は色板６の材質を導電性部材にする必要がないため、材質選択の自由度が広い。
【００３６】
（第３実施形態）
図６は本発明の第３実施形態を示し、エレベータ用押しボタンスイッチ１Ｃの断面図である。
【００３７】
図６に示すように、この第３実施形態のエレベータ用押しボタンスイッチ１Ｃは、前記第１実施形態のエレベータ用ボタンスイッチ１Ａと比較して発光ダイオード１０の配置位置と、色板６の構成とが異なる。つまり、発光ダイオード１０は、色板６の移動エリアの直下位置より外れた位置で、且つ、色板６の側面より光を入射させる位置に配置されている。色板６は、色板６自体が導電性部材（例えば導電性ポリマー）で形成されることにより可動端子手段を有すると共に、側面より入射された光を表面側に拡散状態で射出する導光板として構成されている。他の構成は、前記第１実施形態と同一であるため、同一構成箇所に同一符号を付してその説明を省略する。
【００３８】
以上、第３実施形態のエレベータ用押しボタンスイッチ１Ｃでは、前記第１実施形態のものと同様に、色板６が可動接点手段を有し、色板６と回路基板４の固定接点とからスイッチ機構を構成し、回路基板４上には一対の固定接点を配置すれば良いこと、及び、色板６の裏面に操作子８を設けないことにより、薄型にできる。
【００３９】
その上、この第３実施形態のエレベータ用押しボタンスイッチ１Ｃでは、可動端子手段を有する色板６の下面と回路基板４との間の寸法には、発光ダイオード１０を配置するに必要な寸法を加える必要がないため、薄型化に寄与する。第３実施形態のように、一対の固定端子１１が色板６の移動エリアの直下位置に配置される場合には、一対の固定端子１１より発光ダイオード１０の高さが高い場合に有効である。
【００４０】
（第４実施形態）
図７は本発明の第４実施形態を示し、エレベータ用押しボタンスイッチ１Ｄの断面図である。
【００４１】
図７に示すように、この第４実施形態のエレベータ用押しボタンスイッチ１Ｄは、前記第２実施形態のエレベータ用ボタンスイッチ１Ｂと比較して可動接点手段の構成が異なる。つまり、可動接点手段は、固定接点に対応する操作子８の底面に付設された薄い導電性部材１３にて構成されている。他の構成は、前記第２実施形態と同一であるため、同一構成箇所に同一符号を付してその説明を省略する。
【００４２】
以上、この第４実施形態のエレベータ用押しボタンスイッチ１Ｄでは、前記第２実施形態のものと同様に、操作子８が可動接点手段である導電性部材１３を有し、操作子８と回路基板４の一対の固定接点１１とからスイッチ機構を構成し、回路基板４上には一対の固定接点１１を配置すれば良いため、薄型にできる。
【００４３】
この第４実施形態のエレベータ用押しボタンスイッチ１Ｄと前記第２実施形態のエレベータ用押しボタンスイッチ１Ｂとを比較するに、第２実施形態のエレベータ用押しボタンスイッチ１Ｂの方は導電性部材１３を付設しない分だけ薄型化になり、第４実施形態のエレベータ用押しボタンスイッチ１Ｄの方は操作子８の材質を導電性部材にする必要がないため、材質選択の自由度が広い。
【００４４】
（第５実施形態）
図８は本発明の第５実施形態を示し、エレベータ用押しボタンスイッチ１Ｅの断面図である。
【００４５】
図８に示すように、この第５実施形態のエレベータ用押しボタンスイッチ１Ｅは、前記第１実施形態のエレベータ用ボタンスイッチ１Ａと比較して可動接点手段の構成が異なる。つまり、可動接点手段は、一対の固定接点１１に対応する色板６の底面に付設された薄い導電性部材１３にて構成されている。他の構成は、前記第１実施形態と同一であるため、同一構成箇所に同一符号を付してその説明を省略する。
【００４６】
以上、第５実施形態のエレベータ用押しボタンスイッチ１Ｅでは、前記第１実施形態のものと同様に、色板６が可動接点手段である導電性部材１３を有し、色板６と回路基板４の一対の固定接点１１とからスイッチ機構を構成し、回路基板４上には一対の固定接点１１を配置すれば良いこと、及び、色板６の裏面に操作子８を設けないことにより、薄型にできる。
【００４７】
この第５実施形態のエレベータ用押しボタンスイッチ１Ｅと前記第１実施形態のエレベータ用押しボタンスイッチ１Ａとを比較するに、第１実施形態のエレベータ用押しボタンスイッチ１Ａの方は導電性部材１３を付設しない分だけ薄型化になり、第５実施形態のエレベータ用押しボタンスイッチ１Ｅの方は色板６の材質を導電性部材にする必要がないため、材質選択の自由度が広い。
【００４８】
（第６実施形態）
図９は本発明の第６実施形態を示し、エレベータ用押しボタンスイッチ１Ｆの断面図である。
【００４９】
図９に示すように、この第６実施形態のエレベータ用押しボタンスイッチ１Ｆは、前記第３実施形態のエレベータ用ボタンスイッチ１Ｃと比較して可動接点手段の構成が異なる。つまり、可動接点手段は、固定接点に対応する色板６の底面に付設された薄い導電性部材１３にて構成されている。他の構成は、前記第３実施形態と同一であるため、同一構成箇所に同一符号を付してその説明を省略する。
【００５０】
以上、この第６実施形態のエレベータ用押しボタンスイッチ１Ｆでは、前記第３実施形態のものと同様に、色板６が可動接点手段である導電性部材１３を有し、色板６と回路基板４の一対の固定接点１１とからスイッチ機構を構成し、回路基板４上には一対の固定接点１１を配置すれば良いため、薄型にできる。
【００５１】
この第６実施形態のエレベータ用押しボタンスイッチ１Ｆと前記第３実施形態のエレベータ用押しボタンスイッチ１Ｃとを比較するに、第３実施形態のエレベータ用押しボタンスイッチ１Ｃの方は導電性部材１３を付設しない分だけ薄型化になり、第６実施形態のエレベータ用押しボタンスイッチ１Ｆの方は色板６の材質を導電性部材にする必要がないため、材質選択の自由度が広い。
【００５２】
（第７実施形態）
図１０は本発明の第７実施形態を示し、エレベータ用押しボタンスイッチ１Ｇの断面図である。
【００５３】
図１０に示すように、この第７実施形態のエレベータ用押しボタンスイッチ１Ｇは、前記第１実施形態のエレベータ用ボタンスイッチ１Ａと比較して一対の固定接点１１の配置位置が異なる。つまり、一対の固定接点１１は、色板６の移動エリアの直下位置より外れた位置に配置され、色板６の側面を摺動することで可動接点手段により導通されるように構成されている。尚、色板６は、前記第１実施形態と同様に、色板６自体が導電性部材（例えば導電性ポリマー）で形成されることにより可動端子手段を有する。他の構成は、前記第５実施形態と同一であるため、同一構成箇所に同一符号を付してその説明を省略する。
【００５４】
以上、第７実施形態のエレベータ用押しボタンスイッチ１Ｇでは、前記第１実施形態のものと同様に、色板６が可動接点手段を有し、色板６と回路基板４の一対の固定接点１１とからスイッチ機構を構成し、回路基板４上には一対の固定接点１１を配置すれば良いこと、及び、色板６の裏面に操作子８を設けないことにより、薄型にできる。
【００５５】
その上、この第７実施形態のエレベータ用押しボタンスイッチ１Ｇでは、可動端子手段を有する色板６の下面と回路基板４との間の寸法には、固定接点１１を配置するに必要な寸法を加える必要がないため、薄型化に寄与する。第７実施形態のように、発光ダイオード１０が色板６の移動エリアの直下位置に配置される場合には、発光ダイオード１０より固定接点１１の高さが高い場合に有効である。
【００５６】
（第８実施形態）
図１１は本発明の第８実施形態を示し、エレベータ用押しボタンスイッチ１Ｈの断面図である。
【００５７】
図１１に示すように、この第８実施形態のエレベータ用押しボタンスイッチ１Ｈは、前記第１実施形態のエレベータ用ボタンスイッチ１Ａと比較して発光ダイオード１０の配置位置と、色板６の構成と、一対の固定接点１１の配置位置とが異なる。
【００５８】
つまり、発光ダイオード１０は、色板６の移動エリアの直下位置より外れた位置で、且つ、色板６の側面より光を入射させる位置に配置されている。色板６は、色板６自体が導電性部材（例えば導電性ポリマー）で形成されることにより可動端子手段を有すると共に、側面より入射された光を表面側に拡散状態で射出する導光板として構成されている。一対の固定接点１１は、色板６の移動エリアの直下位置より外れた位置に配置され、色板６の側面を摺動することで可動接点手段により導通されるように構成されている。他の構成は、前記第１実施形態と同一であるため、同一構成箇所に同一符号を付してその説明を省略する。
【００５９】
以上、第８実施形態のエレベータ用押しボタンスイッチ１Ｈでは、前記第１実施形態のものと同様に、色板６が可動接点手段を有し、色板６と回路基板４の一対の固定接点１１とからスイッチ機構を構成し、回路基板４上には一対の固定接点１１を配置すれば良いこと、及び、色板６の裏面に操作子８を設けないことにより、薄型にできる。
【００６０】
この第８実施形態のエレベータ用押しボタンスイッチ１Ｈでは、可動端子手段を有する色板６の下面と回路基板４との間の寸法には、発光ダイオード１０及び一対の固定接点１１を配置するに必要な寸法を加える必要がないため、第１、第３、第６実施形態のものに較べて更に薄型化できる。
【００６１】
尚、前記各実施形態によれば、発光体は発光ダイオード１０にて構成したが、光を発するものであれば良い。
【００６２】
尚、前記各実施形態によれば、付勢手段は圧縮バネ７にて構成されているが、押下部材５及び色板６の摺動体、または、押下部材５、色板６及び操作子８の摺動体を部品収容室３ａの表面側に付勢できるものであれば良い。また、導電性部材としては、導電性を有すれば良く、例えば導電性プラスチックとしてはポリオリフェン系、ポリエステル系、フッ素系等があり、より好ましくはポリチアジル、ポリアセトン、ポリジアセチレン、ポリピロール、ポリパラフェニレン、ポリパラフェニレンスルフィドであり、これら材料のうちいずれか一つを有してていれば良い。また、銅、銀、黒鉛等の導体のいずれか一つを有して、導電性を持っていても良い。
【００６３】
【発明の効果】
以上説明したように、本発明によれば、エレベータ用押しボタンスイッチをより薄型にできる。
【図面の簡単な説明】
【図１】本発明の第１実施形態を示し、エレベータ用押しボタンスイッチの正面図である。
【図２】本発明の第１実施形態を示し、エレベータ用押しボタンスイッチの側面図である。
【図３】本発明の第１実施形態を示し、エレベータ用押しボタンスイッチの分解斜視図である。
【図４】本発明の第１実施形態を示し、図１のＡ−Ａ線断面図。
【図５】本発明の第２実施形態を示し、エレベータ用押しボタンスイッチの断面図。
【図６】本発明の第３実施形態を示し、エレベータ用押しボタンスイッチの断面図。
【図７】本発明の第４実施形態を示し、エレベータ用押しボタンスイッチの断面図。
【図８】本発明の第５実施形態を示し、エレベータ用押しボタンスイッチの断面図。
【図９】本発明の第６実施形態を示し、エレベータ用押しボタンスイッチの断面図。
【図１０】本発明の第７実施形態を示し、エレベータ用押しボタンスイッチの断面図。
【図１１】本発明の第８実施形態を示し、エレベータ用押しボタンスイッチの断面図。
【図１２】従来例を示し、エレベータ用押しボタンスイッチの断面図。
【符号の説明】
１Ａ〜１Ｈ  エレベータ用押しボタンスイッチ
３  外枠
３ａ  部品収容室
４  回路基板
５  押下部材
６  色板
７  圧縮バネ（付勢手段）
８  操作子
１０  発光ダイオード（発光体）
１１  固定接点
１３  可動接点
【図１】
0004278341.tif 000002
【図２】
0004278341.tif 000003
【図３】
0004278341.tif 000004
【図４】
0004278341.tif 000005
【図５】
0004278341.tif 000006
【図６】
0004278341.tif 000007
【図７】
0004278341.tif 000008
【図８】
0004278341.tif 000009
【図９】
0004278341.tif 000010
【図１０】
0004278341.tif 000011
【図１１】
0004278341.tif 000012
【図１２】
0004278341.tif 000013